(57)【要約】【課題】使用者が系列局情報を把握している地域で放送受信装置が一度も系列局情報を受信したことがない場合においても、移動先でどの系列局か使用者が把握することが可能な放送受信装置を提供することを目的とする。【解決手段】本発明の放送受信装置は、入力部４により設定された地域の系列局情報と放送受信装置が現在属する地域で受信可能な系列局情報とを系列ごとに関連付けて紐付けし、表示部７が、放送受信装置が現在属する地域で受信可能な系列局情報と入力部４に入力された地域の系列局情報とを紐付けて表示することを特徴とする。【選択図】図１
2011023934.tif 000002
【特許請求の範囲】
【請求項１】
車両の現在位置を検出する現在位置検出部と、
この現在位置検出部が検出した現在位置が属する地域を測定する測定部と、
少なくとも一つ以上の地域を入力する入力部と、
地域毎の系列局情報を記憶した記憶部と、
この記憶部が記憶した系列局情報から前記測定部が測定した地域の系列局情報と前記入力部に入力された地域の系列局情報を判定する判定部と、
この判定部が判定した系列局情報を表示する表示部とを備え、
前記表示部は、前記測定部が測定した地域の系列局情報と前記入力部に入力された地域の系列局情報とを紐付けて表示することを特徴とする放送受信装置。
【請求項２】
前記入力部は、使用者の属する地域を入力することを特徴とする請求項１に記載の放送受信装置。
【請求項３】
前記判定部が、前記記憶部が記憶した系列局情報から前記入力部に入力された地域の複数の系列局情報を判定した場合、
前記表示部は、前記測定部が測定した地域の系列局情報と前記入力部に入力された地域の複数の系列局情報のうち一の地域の系列局情報を同時に表示し、前記入力部の操作に基づいてまたは所定時間経過後自動的に、前記入力部に入力された地域の複数の系列局情報のうち他の地域の系列局情報に切り替えて表示することを特徴とする請求項１に記載の放送受信装置。
【発明の詳細な説明】
【技術分野】
【０００１】
本発明は、放送受信装置に関するものである。
【背景技術】
【０００２】
従来の地上デジタル放送の選局を行う放送受信装置は、使用者が系列局情報を把握している地域（例えば使用者の居住地域や使用者が良く行く地域）で系列局情報を取得し、放送受信装置が移動して系列局情報が変わった場合に、この移動先の系列局情報と取得した系列局情報とをキャラクタにて紐付けを行い、移動先であってもどの系列局か把握することを可能にしている（例えば特許文献１参照）。
【先行技術文献】
【特許文献】
【０００３】
【特許文献１】特開２００７−１８０８０９号公報
【発明の概要】
【発明が解決しようとする課題】
【０００４】
しかしながら、従来の放送受信装置では、例えばレンタカーに搭載されたとき、一度も使用者が系列局情報を把握している地域の系列局情報を受信していない場合があるので、移動先の系列局情報と紐付けできず、使用者が移動先でどの系列局か把握することができないという問題があった。
【０００５】
この問題について、図９を用いて具体的に説明する。図９は、従来の表示部に表示された系列局を説明する図である。
【０００６】
表示部９１の表示は、名古屋地域の系列局を示す。表示部９１は、「１：東海テレビ」の系列局９１ａ、「４：中京テレビ」の系列局９１ｂ、「５：中部日本放送」の系列局９１ｃ、「６：名古屋テレビ」の系列局９１ｄ、「１０：テレビ愛知」の系列局９１ｅの５つの系列局を表示する。
【０００７】
表示部９２の表示は、大阪地域の系列局を示す。表示部９２は、「４：毎日テレビ」の系列局９２ａ、「６：朝日放送」の系列局９２ｂ、「７：テレビ大阪」の系列局９２ｃ、「８：関西テレビ」の系列局９２ｄ、「１０：読売テレビ」の系列局９２ｅの５つの系列局を表示する。表示部９１と表示部９２の系列局のうち同じ系列局は、それぞれ矢印でつながっている。
【０００８】
例えば、大阪在住の使用者が名古屋でレンタカーを使用した場合、名古屋地域の系列局を表示した表示部９１では、画面上のどの系列局が「８：関西テレビ」の系列局９２ｄと同じ系列局であるか把握することができないという問題があった。
【０００９】
本発明は、従来の問題を解決するためになされたもので、使用者が系列局情報を把握している地域で放送受信装置が一度も系列局情報を受信したことがない場合においても、移動先でどの系列局か使用者が把握することが可能な放送受信装置を提供することを目的とする。
【課題を解決するための手段】
【００１０】
本発明は、表示部が、測定部が測定した地域の系列局情報と入力部に入力された地域の系列局情報とを紐付けて表示することを特徴とする。
【発明の効果】
【００１１】
本発明によれば、使用者が系列局情報を把握している地域で放送受信装置が一度も系列局情報を受信したことがない場合においても、移動先でどの系列局か使用者が把握することが可能な放送受信装置を提供することができる。
【図面の簡単な説明】
【００１２】
【図１】本発明の一実施形態における放送受信装置のブロック図
【図２】同図１の要部である表示部に表示された入力部を説明する図
【図３】同図２の要部である電話番号入力部が選択された場合に表示部に表示された入力部を説明する図
【図４】同図２の要部である郵便番号入力部が選択された場合に表示部に表示された入力部を説明する図
【図５】同図２の要部である住所入力部が選択された場合に表示部に表示された入力部を説明する図
【図６】本発明の一実施の形態における放送受信装置の使用者地域設定処理を説明するフローチャート図
【図７】本発明の一実施の形態における放送受信装置の系列局情報を紐付けて表示する処理を説明するフローチャート図
【図８】同図１の要部である表示部への系列局情報の紐付け表示を説明する図
【図９】従来の表示部に表示された系列局を説明する図
【発明を実施するための形態】
【００１３】
以下、本発明の一実施形態の放送受信装置について、図面を用いて説明する。
【００１４】
図１は本発明の一実施形態における放送受信装置のブロック図である。図１に示すように、放送受信装置は、ＧＰＳアンテナ１と、測定部２と、記憶部３と、入力部４と、入力情報記憶部５と、判定部６と、表示部７とを備える。
【００１５】
ＧＰＳアンテナ１は、ＧＰＳ衛星から電波を受信し、この現在位置情報を測定部２に入力する。
【００１６】
測定部２は、ＧＰＳアンテナ１と、記憶部３と、入力情報記憶部５と、判定部６と接続する。測定部２は、ＧＰＳアンテナ１で受信したGPS衛星からの電波をGPS衛星それぞれの距離を割り出して現在位置を入力する。測定部２は、記憶部３に記憶された地図情報等を読み出して、入力された自車両の現在位置がどの地域であるかを測定する。
【００１７】
記憶部３は、ＨＤＤ（Ｈａｒｄ  Ｄｉｓｋ  Ｄｒｉｖｅ）やＤＶＤ（Ｄｉｇｉｔａｌ  Ｖｅｒｓａｔｉｌｅ  Ｄｉｓｋ）や不揮発性メモリで構成される。記憶部３は、測定部２、入力情報記憶部５、判定部６と接続する。記憶部３は、地図情報や、地域ごとに受信可能な系列局情報や全国の各放送局の系列局情報を全て記憶している。
【００１８】
入力部４は、タッチパネルや音声入力装置等で構成される。入力部４は、入力情報記憶部５と接続する。入力部４は、使用者による画面操作や音声認識などの入力操作で任意の地域情報が入力される。なお、入力部４は、表示部７上に設けたタッチパネルであってもよい。本実施の形態では、以下、入力部４は表示部７上に設けたタッチパネルであるものとして説明する。
【００１９】
入力情報記憶部５は、ＲＡＭなど一時的に記憶するメモリで構成される。入力情報記憶部５は、測定部２と、記憶部３と、入力部４と、判定部６と接続する。入力情報記憶部５
は、入力部４から入力された地域情報を記憶し、判定部６に出力する。
【００２０】
判定部６は、ＣＰＵやＲＡＭで構成される。判定部６は、測定部２、記憶部３、入力情報記憶部５、表示部７と接続する。判定部６は、測定部２から入力された現在位置や自車両の属する地域の情報、記憶部３から読み出した地域ごとの系列局情報から、自車両の属する地域で受信可能な系列局情報を判定する。また、判定部６は、入力情報記憶部５が記憶した地域情報を入力され、記憶部３から読み出した地域ごとの系列局情報に基づいて、入力情報記憶部５が記憶した地域の系列局情報を判定する。そして、判定部６は、自車両の属する地域で受信可能な系列局情報と、入力情報記憶部５が記憶した地域の系列局情報とを紐付ける制御を行う。
【００２１】
表示部７は、液晶ディスプレイで構成される。表示部７は、判定部６と接続し、判定部６が紐付けた自車両の属する地域で受信可能な系列局情報と入力情報記憶部５が記憶した地域の系列局情報とを入力される。表示部７は、自車両の属する地域で受信可能な系列局情報と、入力情報記憶部５が記憶した地域の系列局情報とを紐付けて同時に表示する。
【００２２】
次に、入力部４の構成について図面を用いて説明する。
【００２３】
図２は、発明の一実施の形態における要部である表示部７に表示された入力部４を説明する図である。
【００２４】
図２に示すように、入力部４は、電話番号入力部４１、郵便番号入力部４２、住所入力部４３を備える。電話番号入力部４１、郵便番号入力部４２、住所入力部４３は、表示部７に表示される。使用者が電話番号入力部４１、郵便番号入力部４２、住所入力部４３のいずれかを選択すると、表示部７の表示が切り替わる。
【００２５】
電話番号入力部４１が選択された場合について説明する。図３は、発明の一実施の形態における要部である電話番号入力部４１が選択された場合に表示部７に表示された入力部４について説明する図である。
【００２６】
図３に示すように、電話番号入力部４１は、電話番号を数値入力する電話番号数値入力部４１ａと、操作の完了を決定する決定部４１ｂとを備える。電話番号数値入力部４１ａと、決定部４１ｂは表示部７に表示される。また、表示部７には、電話番号数値入力部４１ａへの入力状況を表示する電話番号表示部７ａが表示される。決定部４１ｂの操作により、電話番号数値入力部４１ａで入力された電話番号が入力情報記憶部５に記憶される。
【００２７】
郵便番号入力部４２が選択された場合について説明する。図４は、発明の一実施の形態における要部である郵便番号入力部４２が選択された場合に表示部７に表示された入力部４について説明する図である。
【００２８】
図４に示すように、郵便番号入力部４２は、郵便番号を数値入力する郵便番号数値入力部４２ａと、操作の完了を決定する決定部４２ｂとを備える。郵便番号数値入力部４２ａと、決定部４２ｂは表示部７に表示される。また、表示部７には、郵便番号数値入力部４１ａへの入力状況を表示する郵便番号表示部７ｂが表示される。決定部４２ｂの操作により、郵便番号数値入力部４２ａで入力された電話番号が入力情報記憶部５に記憶される。
【００２９】
住所入力部４３が選択された場合について説明する。図５は、発明の一実施の形態における要部である住所入力部４３が選択された場合に表示部７に表示された入力部４について説明する図である。
【００３０】
図５に示すように、住所入力部４３は、住所を選択する住所選択部４３ａと、操作の完了を決定する決定部４３ｂと、住所選択部４３ａの項目をスクロールするスクロール部４３ｃとを備える。住所選択部４３ａと、決定部４３ｂと、スクロール部４３ｃとは表示部７に表示される。決定部４３ｂの操作ごとに、住所選択部４３ａの表示が「都道府県」から「市区町村」、「番地」等の下位の項目に順番に切り替わり、最下位の項目で決定部４３ｂが操作された場合に入力された住所が入力情報記憶部５に記憶される。
【００３１】
次に、放送受信装置による系列局情報の紐付け処理について説明する。
【００３２】
まず、使用者の操作により特定の地域を設定する処理について説明する。
【００３３】
図６は、発明の一実施の形態における要部である放送受信装置による使用者地域設定処理を説明するフローチャート図である。
【００３４】
ステップＳ６１に示すように、使用者による入力部４への入力により、地域情報が入力される。この地域情報は、実際には図２〜図４で説明した電話番号や郵便番号、住所であり、いったん入力情報記憶部５に格納される。そして、判定部６は、入力情報記憶部５から地域情報を読み出し、記憶部３に記憶した地図情報と比較して使用者が入力した地域を設定する。
【００３５】
そして、ステップＳ６２に示すように、判定部６は、設定した地域情報を入力情報記憶部５に記憶する。
【００３６】
これにより、使用者によって特定の地域が設定される。なお、使用者に馴染みがあり、使用者が把握している地域の情報を設定することが望ましい。このため、判定部６は、表示部７への表示や図示しないスピーカへの音声案内によって使用者に関連性のある情報を要求し、入力部４への入力を誘導してもよい。使用者に関連性のある情報は、例えば、使用者の居住している地域や、使用者が以前居住していた地域や、使用者が頻繁に良く行く地域などの情報である。
【００３７】
次に、使用者の操作により設定された特定の地域と、自車両が現在属する地域の紐付け処理について説明する。
【００３８】
図７は、発明の一実施の形態における放送受信装置の系列局情報を紐付けて表示する処理を説明するフローチャート図である。
【００３９】
ステップＳ７１に示すように、測定部２は、ＧＰＳアンテナ１が検出した自車両に搭載された放送受信装置の現在位置と記憶部３から読み出した地図情報とに基づいて放送受信装置が現在属する地域を測定する。
【００４０】
次に、ステップＳ７２に示すように、判定部６は、測定部２が測定した地域と、記憶部３が記憶した地域ごとの系列局情報とに基づいて、放送受信装置が現在属する地域で受信可能な系列局情報を確定する。
【００４１】
次に、ステップＳ７３に示すように、判定部６は、入力部４の操作により使用者が設定入力した地域と記憶部３に記憶された地域ごとの系列局情報に基づいて、使用者により設定された地域の系列局情報を確定する。
【００４２】
次に、ステップＳ７４に示すように、判定部６は、入力部４により設定された地域の系列局情報と放送受信装置が現在属する地域で受信可能な系列局情報とを系列ごとに関連付
けて紐付けする。
【００４３】
そして、ステップＳ７５に示すように、判定部６は、紐付けた情報を表示部７に入力する。そして、表示部７は、入力部４により設定された地域の系列局情報と放送受信装置が現在属する地域、すなわち、測定部２が測定した地域で受信可能な系列局情報とを紐付けて表示する。
【００４４】
このような本発明の放送受信装置によれば、レンタカー使用時のように、使用者が系列局情報を把握している地域で放送受信装置が一度も系列局情報を受信したことがない場合においても、使用者が地域情報を入力部４に入力すれば、表示部７に移動先の地域の系列局情報に紐付けして使用者が把握している系列局情報を併記することができるので、どの系列局か使用者が把握しやすくなる。
【００４５】
次に、表示部７への紐付け表示について説明する。
【００４６】
図８は、発明の一実施の形態における要部である表示部７への系列局情報の紐付け表示を説明する図である。
【００４７】
ここでは、大阪在住の使用者が名古屋でレンタカーを使用した場合を想定している。表示部７は、現在使用者がレンタカーに搭載された放送受信装置を使用している名古屋地域の系列局情報と、使用者が放送局情報を把握している大阪地域の系列局情報とを同時に併記して紐付けた系列局情報８１ａ〜８１ｅを表示する。
【００４８】
具体的には、表示部７は、「１：東海テレビ」の系列局に同じ系列局の「８：関西テレビ」が併記され紐付けられた系列局情報８１ａ、「４：中京テレビ」の系列局と同じ系列局の「１０：読売テレビ」が併記され紐付けられた系列局情報８１ｂ、「５：中部日本放送」の系列局に同じ系列局の「４：毎日放送」が併記され紐付けられた系列局情報８１ｃ、「６：名古屋テレビ」の系列局に同じ系列局の「６：朝日放送」が併記され紐付けられた系列局情報８１ｄ、「１０：テレビ愛知」の系列局に同じ系列局の「７：テレビ大阪」が併記され紐付けられた系列局情報８１ｅの５つの系列局情報を表示する。
【００４９】
この系列局情報８１ａ〜８１ｅの表示により、使用者が把握している大阪地域の系列局情報を基に対応する系列局である名古屋地域の系列局情報を容易に選局することができる。
【００５０】
また、表示部７は、入力部４により使用者が設定した地域である系列地域情報８２を表示する。系列地域情報８２は、複数の地域情報であってもよい。使用者が大阪／熊本／愛媛の３地域を設定した場合、図４に示すように、系列地域情報８２は、大阪の系列地域情報８２ａ、熊本の系列地域情報８２ｂ、愛媛の系列地域情報８２ｃの複数の系列地域情報で構成される。図４では、大阪の系列地域情報８２ａが選択されている。使用者が熊本の放送局と紐付けて表示したい場合は、熊本の系列地域情報８２ｂを選択する。このとき、表示部７は、系列局情報８１ａ〜８１ｅでそれぞれ併記している大阪地域の系列局情報を消去し、名古屋地域の系列局情報とそれぞれ同系列である熊本の系列局情報に切り替えて表示する。また、入力部４の操作が無くても、所定時間経過後に他の地域の系列局情報に切り替えて表示してもよい。
【００５１】
なお、使用者が設定する地域は、使用者が放送局情報を把握している地域に限らず任意のどの地域でも設定することが可能である。
【００５２】
なお、本発明の放送受信装置は地上デジタルテレビ放送受信装置とアナログテレビ放送
受信装置のどちらの場合でも適用可能である。
【産業上の利用可能性】
【００５３】
以上のように、本発明にかかる放送受信装置は、レンタカー用の地上デジタル放送の選局手段等として有用である。
【符号の説明】
【００５４】
１  ＧＰＳアンテナ
２  測定部
３  記憶部
４  入力部
６  判定部
７  系列局表示部
【図１】
2011023934.tif 000003
【図２】
2011023934.tif 000004
【図３】
2011023934.tif 000005
【図４】
2011023934.tif 000006
【図５】
2011023934.tif 000007
【図６】
2011023934.tif 000008
【図７】
2011023934.tif 000009
【図８】
2011023934.tif 000010
【図９】
2011023934.tif 000011